(57)【要約】【構成】交通ルールを守り、安全運転に徹します等の安全運転を順守しなければならないようなドライバーの宣言文３を印刷し、該宣言文３が印刷されていない部分にドライバーの氏名を印刷したラベル２を貼り付け、剥離自在にできるようにしたステッカー１の裏面に接着剤を塗布し、さらに剥離紙を貼付した安全運転啓蒙ステッカー。【効果】ドライバー自身の運転に対して、安全運転の徹底は強く要請されていても、なかなか実行されていない現状を打破するように、安全運転宣言文を採用することで、ドライバーではない他者の目を意識させてドライバー自身の安全運転の徹底とマナーアップを図ることができる。また、トラック運送、バス運送の場合、その特定の車両に対してドライバーが順次交替する必要がある。この時に簡易にドライバーの氏名、あるいは氏名と顔写真が印刷されたラベルを変更することができる。また、全体として、安価に提供することができる。【選択図】      図１
2004177428.tif 000002
【特許請求の範囲】
【請求項１】
交通ルールを守り、安全運転に徹します等の安全運転を順守しなければならないようなドライバーの宣言文を印刷し、該宣言文が印刷されていない部分にドライバーの氏名を印刷したラベルを貼り付け、剥離自在にできるようにしたステッカーの裏面に接着剤を塗布し、さらに剥離紙を貼付したことを特徴とする安全運転啓蒙ステッカー。
【請求項２】
交通ルールを守り、安全運転に徹します等の安全運転を順守しなければならないようなドライバーの宣言文を印刷し、該宣言文が印刷されていない部分にドライバーの氏名と顔写真を印刷したラベルを貼り付け、剥離自在にできるようにしたステッカーの裏面に接着剤を塗布し、さらに剥離紙を貼付したことを特徴とする安全運転啓蒙ステッカー。
【発明の詳細な説明】
【０００１】
【発明の属する技術分野】
本発明は、ドライバーに対する運転マナーのアップ及び安全運転の徹底を図るために氏名、あるいは氏名と顔写真を掲示することができるようにした安全運転啓蒙ステッカーに関するものである。
【０００２】
【従来の技術】
従来、乗合いバスの場合は、ドライバーの氏名を掲示した名札をドライバーと反対側、例えば左側のフロントガラスの上部に名札収納部を設け、この収納部に名札を収納して掲示したもの、あるいは他者の安全運転に対する注意を喚起するために車両の後部に、後続走行中の車両のドライバーが安全運転に必要とする車間距離以内に接近した際に視認することができる大きさの数字が記入されたステッカー等の表示器を貼着する自動車の追突防止表示器（例えば、特許文献１参照）が従来から知られている。
【０００３】
【特許文献１】
特開平１０−４４９３９号公報（特許請求の範囲の請求項１、請求項２、図１）
【０００４】
【発明が解決しようとする課題】
しかしながら、前記従来技術のドライバーの氏名だけによる掲示では、単に他の車のドライバー達、あるいは乗車した人達に該ドライバーの氏名を知らせるだけで、なかなかドライバー自身の安全運転の励行を促すための意識を高めることはできない。また、特許文献１に示す自動車の追突防止表示器では、後続走行中の車両のドライバーが表示器に記入された数字を視認することによって前車との距離が安全運転に必要とする車間距離以内に接近していることを知覚させて直ちに車両の減速操作を行わせるように促すことができるだけであって、これでは安全運転の徹底は不可能であるという問題点があった。
【０００５】
本発明は、前記問題点の解決を図ったものであり、自車に乗車した人達、あるいは他車に乗車している人達にドライバーの氏名を知らせるだけでなく、また後続車両のドライバーに追突防止を促すだけでなく、当該車両のドライバー自身が安全運転の順守、徹底をする上で多くの人達の目を意識させるように交通ルールを守り、安全運転に徹します等のドライバーの宣言文と一緒に氏名、あるいは氏名と顔写真を掲示できるようにしたものである。さらに安価に、しかもドライバーの氏名、あるいは氏名と顔写真を簡単に交換できる安全運転啓蒙ステッカーを提供することを目的とするものである。
【０００６】
【課題を解決するための手段】
本発明は、前記課題の解決を図ったもので、次のような技術手段を採用した。
請求項１記載の発明においては、交通ルールを守り、安全運転に徹します等の安全運転を順守しなければならないようなドライバーの宣言文を印刷し、該宣言文が印刷されていない部分にドライバーの氏名を印刷したラベルを貼り付け、剥離自在にできるようにしたステッカーの裏面に接着剤を塗布し、さらに剥離紙を貼付するという技術手段を採用した。
【０００７】
請求項２記載の発明においては、交通ルールを守り、安全運転に徹します等の安全運転を順守しなければならないようなドライバーの宣言文を印刷し、該宣言文が印刷されていない部分にドライバーの氏名と顔写真を印刷したラベルを貼り付け、剥離自在にできるようにしたステッカーの裏面に接着剤を塗布し、さらに剥離紙を貼付するという技術手段を採用した。
【０００８】
【実施例】
以下、本発明の一実施例を添付図面で詳細に説明する。
図１は、車両のドア等、ドライバーの視界を遮らない部位、車両の前後左右等の第３者が視認しやすい場所に、視認し易い色彩と大きさの宣言文を印刷し、これに氏名、あるいは氏名と顔写真（図示せず）を印刷したラベルを貼付・剥離自在にできるようにした安全運転啓蒙ステッカーである。
【０００９】
その具体的な構成として、例えば図示のような配置で、サイズがＡ４の大きさのものの内、略上半分４に安全運転の徹底とマナーアップを図るような宣言文３、例えば交通ルールを守り、安全運転に徹します！、安全運転順守車！、一般道路、高速道路は法定速度を守ります！等のドライバーの安全運転宣言文を印刷し、略下半分５にはその車両に乗車して運転するドライバーの氏名、あるいは氏名と顔写真を印刷したラベル２をドライバーが交替する毎に貼着、剥離自在にできるように処理した安全運転啓蒙ステッカーである。
【００１０】
そして、この安全運転啓蒙ステッカー１の材料としては、特に車両の外側に貼着して使用するものは、紙に防水加工を施したもの、あるいはプラスチック等、雨、清掃等で水分に晒されても問題ないような材料を用いる。また、車両の内側に貼着して使用するものは、丈夫なものであれば防水加工が施されていない紙でも良いことはいうまでもない。
【００１１】
本発明の安全運転啓蒙ステッカー１は、車両に貼着して用いるので、裏面に接着剤を塗布してあり、その裏面側の接着剤を覆うように剥離紙が貼り付けられている。この状態のものを多数枚用意して各車両に対して、ドライバーの運転に支障のない部位で視認し易い場所に貼り付けるものである。
【００１２】
そして、各ドライバーはドライバーの思いを表現した安全運転順守宣言文３が印刷されたステッカーを選択してその前記実施例のものであれば、略下半分５にドライバーの氏名、あるいは氏名と顔写真が印刷されたラベル２を貼着・剥離自在に貼り付け、剥離して使用し、安全運転の徹底を図るものである。なお、このドライバーの氏名、あるいは氏名と顔写真が印刷されたラベル２も紙であれば防水加工を施したもの、あるいはプラスチック製のものを採用することができる。
【００１３】
また、ドライバーの氏名、あるいは氏名と顔写真が印刷されたラベル２は貼着・剥離自在でないとドライバーが交替する必要がある場合は、その度に安全運転啓蒙ステッカー１全体を交換しなければならないので、ドライバーの氏名、あるいは氏名と顔写真の印刷されたラベル２単独で貼着剥離自在にするものである。
従って、この貼着剥離自在にする構成としては、例えば安全運転啓蒙ステッカー１の下半分５に適宜の量のマジック（登録商標）テープを設け、このマジック（登録商標）テープに対向するようにドライバーの氏名、あるいは氏名と顔写真を印刷したラベル２の裏面に対応するマジック（登録商標）テープを設けたものを採用する。あるいは、安全運転啓蒙ステッカー１の略下半分５に剥離剤を塗布する。この部分に貼着・剥離自在にできるようにドライバーの氏名、あるいは氏名と顔写真を印刷したラベル２を用意する。このラベル２の裏面には両面接着剤を塗布し、外側に剥離紙を貼り付けてある。このラベル２を用いて、各ドライバーが剥離紙を剥がして安全運転啓蒙ステッカー１の略下半分５の部位に貼付するものである。
【００１４】
さらに、氏名と顔写真を印刷したラベル２を採用すると、ドライバーを顔写真により特定できるので、車輌自体の第３者による盗難も防止することができる。
【００１５】
【発明の効果】
本発明は、以上の構成を採用した結果、次のような効果を得ることができる。
（１）従来、ドライバー自身の運転に対して、安全運転の徹底は強く要請されていても、なかなか実行されていない現状がある。これを打破するように、安全運転宣言文を採用することで、ドライバーではない他者の目を意識させてドライバー自身の安全運転の徹底とマナーアップを図ることができる。
（２）トラック運送、バス運送の場合、その特定の車両に対してドライバーが順次交替する必要がある。この時に簡易にドライバーの氏名、あるいは氏名と顔写真が印刷されたラベルを変更することができる。
（３）車両の各部ガラス、金属等、材質に関係なくどこにでも貼着することができ、プレート等のようにプレートの取付収納部を車両に形成する必要がない。
（４）全体として、安価に提供することができる。
【図面の簡単な説明】
【図１】本発明の安全運転啓蒙ステッカーの一実施例を示す全体図である。
【図２】本発明のドライバーの氏名を印刷したラベルの一実施例を示す正面図である。
【符号の説明】
１‥‥安全運転啓蒙ステッカー
２‥‥ドライバーの氏名が印刷されたラベル
３・・・・宣言文
４・・・・上半分
５・・・・下半分
【図１】
2004177428.tif 000003
【図２】
2004177428.tif 000004